【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
患者にガスを送達するための呼吸器具（10）であって、
近位端と遠位端を有するガス通路（22、 26、 30、 122、 130）と、
前記ガス通路（22、 26、 30、 122、 130）の側壁にある補助ガス入口（50）と、
を備え、
前記補助ガス入口（50）は、前記ガスがほぼ螺旋経路を取るようにガスを前記ガス通路（22、 26、 30、 122、 130）の内側表面沿いに向けるように構成され、
前記補助ガス入口（50）は、前記ガス通路（22、 26、 30、 122、 130、822、826）内に前記ガス通路（22、 26、 30、 122、 130）の遠位端に向かう螺旋流を生成するために、ガスを前記ガス通路（22、 26、 30、 122、 130、822、826）の軸から外れた部分の中に前記ガス通路（22、 26、 30、 122、 130、822、826）の長手軸に対して斜めに向けるように更に構成された、呼吸器具（10）。
【請求項２】
患者にガスを送達するための呼吸器具（10）と共に用いられるアダプタ（20）であって、
前記呼吸器具（10）のガス通路（30）の近位端への接続に適合したガス通路（22、26、822、826）と、
前記アダプタの前記ガス通路（22、26、822、826）の側壁にある補助ガス入口（50）と、
を備え、
前記補助ガス入口（50）は、前記ガスがほぼ螺旋経路を取るように、前記アダプタ（20）又は前記呼吸器具（10）の少なくとも１つの前記ガス通路（22、26、822、826）の内側表面沿いにガスを向けるように構成され、
前記補助ガス入口（50）は、前記ガス通路（22、 26、 30、 122、 130、822、826）内に前記呼吸器具（10）の前記ガス通路（22、 26、 30、 122、 130）の遠位端に向かう螺旋流を生成するために、ガスを前記ガス通路（30）の軸から外れた部分の中に前記ガス通路（22、 26、 30、 122、 130、822、826）の長手軸に対して斜めに向けるように更に構成された、
アダプタ（20）。
【請求項３】
前記補助ガス入口（50）は、ガス供給源に接続されるように適合された近位端と、前記ガス通路（22、 26、 30、 122、 130、822、826）の側壁にある出口開口（52）と流体連通する遠位端とを備え、前記補助ガス入口は、ガスの噴射が前記ガス通路（22、 26、 30、 122、 130、822、826）の内面に沿って向けられるように、ガスを前記出口開口（52）に供給するように構成される請求項１に記載の呼吸器具（10）。
【請求項４】
前記補助ガス入口（50）により前記ガス通路（22、 26、 30、 122、 130）の内面に沿って向けられたガスは、使用中、前記ガス通路（22、 26、 30、 122、 130）の前記近位端を通って供給される、前記ガス通路（22、 26、 30、 122、 130）内の他のガスと混ざる請求項１又は請求項３に記載の呼吸器具（10）。
【請求項５】
前記出口開口（52）の面積は前記補助ガス入口（50）の前記近位端の面積よりも小さい、請求項３に記載の呼吸器具（10）。
【請求項６】
前記補助ガス入口（50）は、前記補助ガス入口が形成される前記ガス通路（22、 26、 30、 122、 130、 822、 826）の部分の軸平面に平行であるが前記軸平面からは外れた方向に、前記ガス通路（22、 26、 30、 122、 130、 822、 826）の側壁から突き出る、請求項１、請求項３〜請求項５のいずれか１項に記載の呼吸器具（10）。
【請求項７】
前記補助ガス入口（50）は、前記ガス通路（22、 26、 30、 122、 130、 822、 826）から前記補助ガス入口（50）が形成される前記ガス通路（22、 26、 30、 122、 130、 822、 826）の部分に対してある角度で、前記ガス通路（22、 26、 30、 122、 130、 822、 826）の前記近位端の方向へ突き出る、請求項１、請求項３〜請求項６のいずれか１項に記載の呼吸器具（10）。
【請求項８】
前記補助ガス入口（50）は、前記ガス通路（22、 26、 30、 122、 130、 822、 826）の内部断面積よりもはるかに小さい面積の出口開口（52）を有する、請求項１、請求項３〜請求項７のいずれか１項に記載の呼吸器具（10）。
【請求項９】
前記出口開口（52）の直径は０．２ｍｍ〜３ｍｍの範囲にある、請求項８に記載の呼吸器具（10）。
【請求項１０】
前記ガス通路（22、 26、 30、 122、 130、 822、 826）はほぼ円形断面である、請求項１、請求項３〜請求項９のいずれか１項に記載の呼吸器具（10）。
【請求項１１】
前記補助ガス入口（50）は、ガス供給源に接続されるように適合された近位端と、前記ガス通路（22、 26、 30、 122、 130、822、826）の側壁にある出口開口（52）と流体連通する遠位端とを備え、前記補助ガス入口は、ガスの噴射が前記ガス通路（22、 26、 30、 122、 130、822、826）の内面に沿って向けられるように、ガスを前記出口開口（52）に供給するように構成される請求項２に記載のアダプタ（20）。
【請求項１２】
前記補助ガス入口（50）により前記ガス通路（22、 26、 30、 122、 130）の内面に沿って向けられたガスは、使用中、前記ガス通路（22、 26、 30、 122、 130）の前記近位端を通って供給される、前記ガス通路（22、 26、 30、 122、 130）内の他のガスと混ざる請求項２又は請求項１１に記載のアダプタ（20）。
【請求項１３】
前記出口開口（52）の面積は前記補助ガス入口（50）の前記近位端の面積よりも小さい、請求項１１に記載のアダプタ（20）。
【請求項１４】
前記補助ガス入口（50）は、前記補助ガス入口が形成される前記ガス通路（22、 26、 30、 122、 130、 822、 826）の部分の軸平面に平行であるが前記軸平面からは外れた方向に、前記ガス通路（22、 26、 30、 122、 130、 822、 826）の側壁から突き出る、請求項２、請求項１１〜請求項１３のいずれか１項に記載のアダプタ（20）。
【請求項１５】
前記補助ガス入口（50）は、前記ガス通路（22、 26、 30、 122、 130、 822、 826）から前記補助ガス入口（50）が形成される前記ガス通路（22、 26、 30、 122、 130、 822、 826）の部分に対してある角度で、前記ガス通路（22、 26、 30、 122、 130、 822、 826）の前記近位端の方向へ突き出る、請求項２、請求項１１〜請求項１４のいずれか１項に記載のアダプタ（20）。
【請求項１６】
前記補助ガス入口（50）は、前記ガス通路（22、 26、 30、 122、 130、 822、 826）の内部断面積よりもはるかに小さい面積の出口開口（52）を有する、請求項２、請求項１１〜請求項１５のいずれか１項に記載のアダプタ（20）。
【請求項１７】
前記出口開口（52）の直径は０．２ｍｍ〜３ｍｍの範囲にある、請求項１６に記載のアダプタ（20）。
【請求項１８】
前記ガス通路（22、 26、 30、 122、 130、 822、 826）はほぼ円形断面である、請求項２、請求項１１〜請求項１７のいずれか１項に記載のアダプタ（20）。
【請求項１９】
前記アダプタ（20）は単一部品として形成されている、請求項２、請求項１１〜請求項１８のいずれか１項に記載のアダプタ（20）。
【請求項２０】
前記アダプタ（20）は、前記呼吸器具（10）の前記近位端との係合に適合したチューブ状コネクタ（26）と、前記呼吸器具（10）への接続に適合したチューブ状コネクタ（26）とを備える、請求項２、請求項１１〜請求項１９のいずれか１項に記載のアダプタ（20）。
【請求項２１】
前記アダプタ（20）と前記呼吸器具（10）の前記ガス通路（22、 26、 30、 122、 130、 822、 826）は整合している、請求項２、請求項１１〜請求項２０のいずれか１項に記載のアダプタ（20）。